(57)【要約】【課題】本発明は、各種情報を処理するパーソナル・コンピュータ、デジタル・オーディオ機器、あるいはデジタル・スチル・カメラ等の情報処理装置に使用されるＰＣカードを収納するＰＣカード用収納ケースに関し、製造コストが抑えられ、使い勝手に優れ、ＰＣカードと収納ケースとが衝突していずれかが損傷してしまうことのないＰＣカード用収納ケースを提供することを目的とする。【解決手段】ＰＣカード１を載置する載置部４と、載置部４に載置されたＰＣカード１を覆う蓋部６と、載置部４又は蓋部６のいずれか一方に設けられ、ＰＣカード１の大きさに合わせてＰＣカード１を係止する係止部８とを有するように構成する。【選択図】　　図１
2004133853.tif 000002
【特許請求の範囲】
【請求項１】
ＰＣカードを載置する載置部と、
前記載置部に載置された前記ＰＣカードを覆う蓋部と、
前記載置部又は前記蓋部の少なくとも一方に設けられ、前記ＰＣカードの大きさに合わせて前記ＰＣカードを係止する係止部と
を有することを特徴とするＰＣカード用収納ケース。
【請求項２】
請求項１記載のＰＣカード用収納ケースであって、
前記係止部は、前記ＰＣカードの一端部を係止可能な突起を有していること
を特徴とするＰＣカード用収納ケース。
【請求項３】
請求項２記載のＰＣカード用収納ケースであって、
前記突起は、前記載置部又は前記蓋部の少なくとも一方と一体的に形成されていること
を特徴とするＰＣカード用収納ケース。
【請求項４】
請求項２又は３に記載のＰＣカード用収納ケースであって、
前記突起は、高さが可変であること
を特徴とするＰＣカード用収納ケース。
【請求項５】
請求項１記載のＰＣカード用収納ケースであって、
前記係止部は、前記載置部又は前記蓋部の少なくとも一方に開口されたスリットと、前記スリットに係合して移動可能な係止部材とを有していること
を特徴とするＰＣカード用収納ケース。
【請求項６】
請求項１記載のＰＣカード用収納ケースであって、
前記係止部は、前記載置部又は前記蓋部の少なくとも一方に設けられた保持部と、前記保持部に係合して移動可能な係止部材とを有していること
を特徴とするＰＣカード用収納ケース。
【請求項７】
請求項６記載のＰＣカード用収納ケースであって、
前記保持部は、前記載置部又は前記蓋部の少なくとも一方と一体的に形成されていること
を特徴とするＰＣカード用収納ケース。
【発明の詳細な説明】
【０００１】
【発明の属する技術分野】
本発明は、各種情報を処理するパーソナル・コンピュータ、デジタル・オーディオ機器、あるいはデジタル・スチル・カメラ等の情報処理装置に使用されるＰＣカードを収納するＰＣカード用収納ケースに関する。
【０００２】
【従来の技術】
従来、ケース本体を成しＰＣカードを載置する載置部と、載置部に載置されたＰＣカードを覆う蓋部とで構成されるＰＣカード用収納ケースが知られている。このＰＣカード用収納ケースは載置部と蓋部とがプラスチック樹脂等で形成され、ヒンジ機構により載置部に対して蓋部を開閉できるようになっている。このＰＣカード用収納ケースにＰＣカードを収納するには、蓋部を開けて載置部にＰＣカードを載置してから蓋部を閉じて収納する。また、ＰＣカードを取り出すには蓋部を開けて載置部からＰＣカードを取り出す（例えば、特許文献１又は２参照）。
【０００３】
【特許文献１】
特開２００２−６３５５３号公報
【特許文献２】
特開平６−２４７４８７号公報
【０００４】
【発明が解決しようとする課題】
ところで、近年の無線通信技術の発達に伴い、例えば無線ＬＡＮ（ローカル・エリア・ネットワーク）用のＰＣカードあるいはＰＨＳ（パーソナル・ハンディ・ホン）等でのデータ通信用のＰＣカードが多用されるようになってきている。これらの無線ＰＣカードはアンテナを内蔵しており、アンテナ収容部が突出する分だけ従来の通常型ＰＣカードより長めに成形されている（以下、このＰＣカードを拡張型ＰＣカードという）。
【０００５】
このような拡張型ＰＣカードは、上述のような通常型ＰＣカード用の収納ケースには大きすぎて収納できず、従来の通常型ＰＣカード用収納ケースを拡張した専用の収納ケースが用いられる。また、拡張型ＰＣカードの拡張部の寸法は任意であり、アンテナの大きさに応じてそれぞれ長さの異なる多種類の拡張型ＰＣカードが作製されている。
【０００６】
従ってケース供給側では、通常型ＰＣカード用収納ケースの他に、複数の長さを持つ拡張型ＰＣカード用収納ケースを多種類用意する必要が生じるため、設計や金型の製作に余分の製造コストがかかってしまうという問題を生じている。
【０００７】
一方、ケースを使用するユーザ側では、ＰＣカード毎に異なる大きさのＰＣカード用収納ケースを一々選び出す作業が発生するため使い勝手が悪いという問題が生じる。また、拡張型ＰＣカード用収納ケースに通常型ＰＣカードを収納すると、例えば持ち歩きの際にケース内でＰＣカードが移動してＰＣカードとケースとが衝突し合うため、いずれかが損傷してしまう可能性があるという問題を有している。
【０００８】
本発明の目的は、製造コストが抑えられ、使い勝手に優れ、ＰＣカードと収納ケースとが衝突していずれかが損傷してしまうことのないＰＣカード用収納ケースを提供することにある。
【０００９】
【課題を解決するための手段】
上記目的は、ＰＣカードを載置する載置部と、前記載置部に載置された前記ＰＣカードを覆う蓋部と、前記載置部又は前記蓋部の少なくとも一方に設けられ、前記ＰＣカードの大きさに合わせて前記ＰＣカードを係止する係止部とを有することを特徴とするＰＣカード用収納ケースによって達成される。
【００１０】
上記本発明のＰＣカード用収納ケースであって、前記係止部は、前記ＰＣカードの一端部を係止可能な突起を有していることを特徴とする。
【００１１】
上記本発明のＰＣカード用収納ケースであって、前記突起は、前記載置部又は前記蓋部の少なくとも一方と一体的に形成されていることを特徴とする。
【００１２】
上記本発明のＰＣカード用収納ケースであって、前記突起は、高さが可変であることを特徴とする。
【００１３】
上記本発明のＰＣカード用収納ケースであって、前記係止部は、前記載置部又は前記蓋部の少なくとも一方に開口されたスリットと、前記スリットに係合して移動可能な係止部材とを有していることを特徴とする。
【００１４】
上記本発明のＰＣカード用収納ケースであって、前記係止部は、前記載置部又は前記蓋部の少なくとも一方に設けられた保持部と、前記保持部に係合して移動可能な係止部材とを有していることを特徴とする。
【００１５】
上記本発明のＰＣカード用収納ケースであって、前記保持部は、前記載置部又は前記蓋部の少なくとも一方と一体的に形成されていることを特徴とする。
【００１６】
【発明の実施の形態】
〔第１の実施の形態〕
本発明の第１の実施の形態によるＰＣカード用収納ケースについて図１乃至図４を用いて説明する。図１は、通常型ＰＣカードを載置した状態での本実施の形態によるＰＣカード用収納ケースの概略の構成を示している。図１（ａ）は、ＰＣカード用収納ケースの開状態の斜視図、図１（ｂ）は、図１（ａ）における仮想円Ａ内の拡大図である。図１（ｃ）は、図１（ａ）における仮想円Ｂ内の拡大図である。また、図２は本実施の形態によるＰＣカード用収納ケースの側面を示しており、図２（ａ）は、通常型ＰＣカードが載置された状態を示し、図２（ｂ）は拡張型ＰＣカードが載置された状態を示している。
【００１７】
図１（ａ）に示す通常型ＰＣカード１は、音声や音楽、あるいは文字や画像情報等の種々の情報を処理するパーソナル・コンピュータ（以下、「ＰＣ」という）を初めとして民生用オーディオ機器やデジタル・スチル・カメラ等の情報処理装置に着脱可能に装着されて使用され、情報処理装置が行う種々の処理に対する処理能力の向上や処理機能の拡張のために使われている。
【００１８】
通常型ＰＣカード１は容易に着脱できて小型で携帯性に優れているため、その用途は補助記憶装置としての半導体メモリカードだけでなく、磁気ディスク等のハードディスク装置を備えた補助記憶装置、あるいはモデム機能やＬＡＮ機能等の通信、ネットワーク関連分野、さらには音楽観賞用のミュージックカードとしても拡がってきている。さらに、通常型ＰＣカード１が使用される適用分野も拡大しつつあり、携帯型の小型ＰＣに限られず、例えばデジタル・オーディオ機器やデジタル・スチル・カメラ等の音楽、画像情報処理装置に用いられて、着脱可能で携帯性に優れた音楽、画像記憶装置として、あるいはカメラに記憶した画像をＰＣ等に転送するためのデータ転送装置としても使用されるようになってきている。
【００１９】
通常型ＰＣカード１は、ＰＣＭＣＩＡ（Ｐｅｒｓｏｎａｌ　ＣｏｍｐｕｔｅｒＭｅｍｏｒｙ　Ｃａｒｄ　Ｉｎｔｅｒｎａｔｉｏｎａｌ　Ａｓｓｏｃｉａｔｉｏｎ）が発表した統一規格（ＰＣ　Ｃａｒｄ　Ｓｔａｎｄａｒｄ）に基づいて国際標準化されている。通常型ＰＣカード１は、中央部（基体部）の厚さの違いによってタイプＩ、タイプＩＩ、タイプＩＩＩに分けられている。図１は、タイプＩＩの通常型ＰＣカード１を示している。
また、ＰＣカード１の基体部周囲のフレーム部の厚さは、基体部の厚さより薄く、基体部の両表面より一段低い表面を有しており、通常型ＰＣカード１の表裏両面は金属パネルで覆われている。
図２（ｂ）に示す拡張型ＰＣカード１Ｘは、通常型ＰＣカード１のコネクタ部と反対側の端部に拡張部が突出して設けられている点に特徴を有している。拡張部には無線ＬＡＮやＰＨＳ等によるデータ通信を行なうためのアンテナ等が格納されている。
【００２０】
図２（ｂ）に示すように、本実施の形態によるＰＣカード用収納ケース２は、拡張型ＰＣカード１Ｘを載置可能な長方形状の載置平板４ａを備えた載置部４を有している。また、ＰＣカード用収納ケース２は、載置部４に載置された通常型ＰＣカード１あるいは拡張型ＰＣカード１Ｘ（以下、両者を総称する場合は単にＰＣカードという）を覆う蓋部６と、載置部４又は蓋部６の少なくとも一方（本例では載置部４）に設けられ、ＰＣカードの大きさに合わせてＰＣカードを係止する係止部８とを有している。ＰＣカード用収納ケースを構成する載置部４及び、蓋部６、係止部８は、ポリプロピレンで一体的に形成されている。
【００２１】
載置部４は、載置平板４ａの一短辺のＰＣカード載置側に底部側壁４ｄが形成されている。底部側壁４ｄが形成されておらず、蓋部６の底部側壁６ｄのみでコネクタ一端側を塞ぐ構成としてもよい。また、底部側壁４ｄの両側から載置平板４ａの長手方向側面ほぼ半分には側壁４ｂ、４ｃが対向配置されている。また、底部側壁４ｄ及び側壁４ｂ、４ｃの各端辺に接続され、載置平板４ａとほぼ平行に対向して支持板４ｅが配置されている。支持板４ｅ及び、底部側壁４ｄ、側壁４ｂ、４ｃで構成される凹部は、ＰＣカードのコネクタ側が挿入できる広さに形成されている。載置平板４ａ上には載置平板４ａの長手方向に平行に延びる２本のリブ４ｆ、４ｆが形成されている。リブ４ｆ、４ｆは、載置平板４ａと一体的に形成されている。ＰＣカードの基体部は、載置平板４ａ上で平行に延びるリブ４ｆ、４ｆ上に載せられる。
【００２２】
蓋部６は長方形状の平板６ａを有し、平板６ａの一短辺側に底部側壁６ｄが配置されている。底部側壁６ｄの一端辺と載置部４の載置平板４ａの底部側壁４ｄ側の一短辺とはヒンジ機構を構成して一体的に接続されている。これにより、蓋部６は、載置部４の載置平板４ａの底部側壁４ｄの端辺で回動可能に支持され、載置部４に対して開閉可能になっている。平板６ａの底部側壁６ｄと反対側の端辺には底部側壁６ｄに対向して上部側壁６ｅが配置されている。また、上部側壁６ｅの両側から平板６ａの長手方向側面ほぼ半分には側壁６ｂ、６ｃが対向配置されている。蓋部６を載置部４に対して閉状態にすると、側壁４ｂと６ｂ、側壁４ｃと６ｃとがそれぞれほぼ面一になるように側壁６ｂ、６ｃの壁長が決められている。
【００２３】
係止部８は、載置平板４ａ上に形成されて載置平板４ａの長手方向に平行に延びる２本のリブ４ｆ、４ｆの端部側に設けられた切欠き部８ａ、８ａと、載置部４に載置された通常型ＰＣカード１の一端部を係止可能な突起８ｂ、８ｂとを有している。切欠き部８ａ、８ａ及び突起８ｂ、８ｂは、載置部４と一体的に形成されている。突起８ｂ、８ｂは、開放状態では載置平板４ａ面にほぼ垂直に屹立する片持ち梁形状を呈しているが、指などで押さえて突起８ｂ、８ｂの自由端を切欠き部８ａ、８ａの切欠きに挿入することにより、載置平板４ａ面に平行に折り曲げることができるようになっている。これにより、突起８ｂ、８ｂは、通常型ＰＣカード１の一端部を係止可能な高さから、リブ４ｆ、４ｆの高さと同等かそれ以下の高さに変化させることができる。図１（ａ）の仮想円Ａを拡大した図１（ｂ）は、突起８ｂが開放状態で載置平板４ａ面にほぼ垂直に屹立した状態を示している。図１（ａ）の仮想円Ｂを拡大した図１（ｃ）は、突起８ｂが自由端を切欠き部８ａの切欠きに挿入されて載置平板４ａ面に平行に折り曲げられた状態を示している。
【００２４】
次に、本実施の形態によるＰＣカード用収納ケース２の動作について図１及び図２を用いて説明する。図１及び図２（ａ）に示すように、ＰＣカード用収納ケース２に通常型ＰＣカード１を収納する場合には、使用者は載置部４に対して蓋部６を開放し、載置平板４ａ上の２本のリブ４ｆ、４ｆ上で通常型ＰＣカード１の基体部を滑らせながら、支持板４ｅ及び、底部側壁４ｄ、側壁４ｂ、４ｃで構成される凹部に通常型ＰＣカード１を差し入れ、通常型ＰＣカード１のコネクタ側が底部側壁４ｄに突き当たるまで挿入する。
【００２５】
次いで、図１（ｂ）及び図２（ａ）に示すように、突起８ｂ、８ｂを開放状態にして載置平板４ａ面にほぼ垂直に屹立させる。これにより、突起８ｂ、８ｂで通常型ＰＣカード１のコネクタ側と反対側の端部を係止することができる。その後、載置部４と蓋部６とを閉じて通常型ＰＣカード１の収納が完了する。
【００２６】
次に、図２（ｂ）に示すように、ＰＣカード用収納ケース２に拡張型ＰＣカード１Ｘを収納する場合には、使用者は載置部４と蓋部６とを開放し、図１（ｃ）に示すように、突起８ｂ、８ｂを指などで押して、突起８ｂ、８ｂの自由端を切欠き部８ａ、８ａの切欠きに挿入して、突起８ｂ、８ｂが載置平板４ａ面に平行に折り曲げられた状態にする。次に、載置平板４ａ上の２本のリブ４ｆ、４ｆ上で拡張型ＰＣカード１Ｘの基体部を滑らせながら、支持板４ｅ及び、底部側壁４ｄ、側壁４ｂ、４ｃで構成される凹部に拡張型ＰＣカード１Ｘを差し入れ、拡張型ＰＣカード１Ｘのコネクタ側が底部側壁４ｄに突き当たるまで挿入する。その後、載置部４と蓋部６とを閉じて拡張型ＰＣカード１Ｘの収納が完了する。
【００２７】
以上説明したように、本実施の形態によれば、１つのＰＣカード用収納ケースで、通常型ＰＣカード１と拡張型ＰＣカード１Ｘの双方に対応して収納することができる。これにより、ケースを使用するユーザ側でＰＣカード毎に異なる大きさのＰＣカード用収納ケースを一々選び出す作業が不要になるため使い勝手が向上する。また、例えば拡張型ＰＣカード用収納ケースに通常型ＰＣカードを収納して持ち歩く際にＰＣカードとケースとが衝突していずれかが損傷してしまう心配も生じない。
【００２８】
次に、本実施の形態によるＰＣカード用収納ケース２の変形例について図３及び図４を用いて説明する。図３は、通常型ＰＣカード１を載置した状態での本変形例によるＰＣカード用収納ケースの概略の構成を示している。図３（ａ）は、ＰＣカード用収納ケース２の斜視図、図３（ｂ）は、図３（ａ）における仮想円Ａ内の拡大図である。図３（ｃ）は、図３（ａ）における仮想円Ｂ内の拡大図である。また、図４は本変形例によるＰＣカード用収納ケース２の側面を示しており、図４（ａ）は、通常型ＰＣカード１が載置された状態を示し、図４（ｂ）は拡張型ＰＣカード１Ｘが載置された状態を示している。図１及び図２に示した本実施形態の構成要素と同一の構成要素には同一の符号を付してその説明は省略する。
【００２９】
本変形例は、上記実施の形態のＰＣカード用収納ケース２からリブ４ｆ、４ｆを取り除いた構造を有している点に特徴を有している。図３及び図４（ａ）に示すように、通常型ＰＣカード１は、載置平板４ａに基体部が直接当たるように載置される。従って、通常型ＰＣカード１のコネクタ側と反対側の端部は、切欠き部８ａ、８ａ側面と突起８ｂ、８ｂ側面に当接して係止される。但し、図３（ｃ）に示すように突起８ｂ、８ｂが倒れた状態では、蓋部６を閉じて収納状態にしたときに、ケース内部で通常型ＰＣカード１が突起８ｂ、８ｂを乗り越えて移動してしまう可能性がある。このため、図３（ｂ）に示すように、突起８ｂ、８ｂは屹立状態にしておく。
【００３０】
一方、図４（ｂ）に示すように、拡張型ＰＣカード１Ｘの場合には、図３（ｃ）に示すように突起８ｂ、８ｂを倒した状態で突起８ｂ、８ｂを跨いで拡張型ＰＣカード１Ｘを載置させる。
【００３１】
このような構成にしても、上記本実施の形態による効果を奏することができる。さらに、突起８ｂ、８ｂの高さを可変にできるので、通常型ＰＣカード１を収納する際には突起８ｂ、８ｂの高さを高くして当該ＰＣカードがケース内で移動してしまうことを確実に防止することができ、一方で、拡張型ＰＣカード１Ｘを収納する際には突起８ｂ、８ｂの高さを低くして拡張型ＰＣカードの乗り上げ高さを最小にできるのでＰＣカード用収納ケース２の厚さを極力薄くすることができる。また、リブ４ｆ、４ｆを形成する必要がないので製造コストを抑えることも可能である。
【００３２】
〔第２の実施の形態〕
次に、本発明の第２の実施の形態によるＰＣカード用収納ケースについて図５乃至図１４を用いて説明する。図５乃至図７は、通常型ＰＣカード１を載置した状態での本実施の形態によるＰＣカード用収納ケース２の概略の構成を示している。図５は、ＰＣカード用収納ケース２の開状態を上方から見た斜視図、図６は、ＰＣカード用収納ケース２の開状態を底面方向から見た斜視図である。図７（ａ）は蓋部が半開状態での正面図、図７（ｂ）は、蓋部が半開状態での右側面図である。また、図８は、図７（ａ）における仮想円Ｃ内の拡大図である。図９（ａ）は蓋部が半開状態での底面図、図９（ｂ）は、図９（ａ）における仮想円Ｄ内の拡大図である。図１０は、本実施の形態における係止部材の形状例を示している。図１０（ａ）は係止部材を上面側からみた斜視図であり、図１０（ｂ）は係止部材を下面側からみた斜視図である。なお、図１乃至図４に示した第１の実施の形態のＰＣカード用収納ケース２の構成要素と同一の構成要素には同一の符号を付してその説明は省略する。
【００３３】
本実施の形態によるＰＣカード用収納ケース２は、第１の実施の形態によるＰＣカード用収納ケース２に設けられている係止部８に代えて、載置部４又は蓋部６の少なくとも一方（本例では、載置部４）に開口したスリット１０と、スリット１０に係合して移動可能な係止部材１１とでＰＣカードを係止する係止部を構成している点に特徴を有している。
【００３４】
図５乃至図９のそれぞれに図示してあるように、載置平板４ａにはＰＣカードを係止する係止部材１１を取り付けるスリット１０が開口されている。スリット１０は長方形状の載置平板４ａのほぼ中央から蓋部６の開放側端部に向かって長辺にほぼ平行に開口している。スリット１０の両辺には所定間隔で凹凸が形成された凹凸部１０ａが配設されている。
【００３５】
また、図５乃至図１０に示すように、ＰＣカードの係止位置を規定する係止部材１１は、スリット１０一端部に設けられた取付口１０ｂから挿入可能な形状に形成されている。係止部材１１は所定間隙で平行に配置され弾性を有する２本の梁部１１ｂ、１１ｂを有している。２つの梁部１１ｂ、１１ｂはそれぞれ外側に凸の突起部１１ｃを有している。この突起部１１ｃは、係止部材１１が取付口１０ｂから載置平板４ａに組み込まれてスリット１０に沿って摺動する際、凹凸部１０ａとかみ合ってＰＣカードの係止位置を決めるために用いられる。
【００３６】
図１０（ａ）に示すように、係止部材１１上面の一対の梁部１１ｂ、１１ｂの一端側にはＰＣカード端部に当接してＰＣカードを係止する係止板１１ａが設けられている。係止板１１ａは梁部１１ｂ、１１ｂにほぼ直交する方向にスリット１０の幅より長く延びて載置平板４ａ面にほぼ垂直になる長方形壁面を有している。梁部１１ｂ、１１ｂの他端側にはスリット１０の幅より長く延びて係止板１１ａより低く形成された支持板１１ｄが設けられている。
【００３７】
一方、図１０（ｂ）に示すように、係止部材１１下面には、ほぼ載置平板４ａの板厚分だけ間隔を空けて係止板１１ａと対向する位置に支持板１１ｅが設けられている。また、ほぼ載置平板４ａの板厚分だけ間隔を空けて支持板１１ｄと対向する位置に支持板１１ｆが設けられている。
【００３８】
係止部材１１が載置平板４ａの取付口１０ｂを介してスリット１０に取り付けられると、載置平板４ａ上面に位置してスリット１０の幅より広い係止板１１ａ及び支持板１１ｄと、載置平板４ａ下面に位置してスリット１０の幅より広い支持板１１ｅ、１１ｆとでスリット１０周囲の載置平板４ａを挟み込むため、係止部材１１は、スリット１０で載置平板４ａに保持される。
【００３９】
例えば係止板１１ａを指で摘んでスリット１０の長手方向に押し出すことにより、係止部材１１をスリット１０に沿って摺動させて、係止板１１ａを任意の位置に移動させて半固定状態にすることができる。
【００４０】
次に、本例の係止部の組立及び動作について説明する。まず、載置平板４ａ下面側から取付口１０ｂを介して係止部材１１の支持板１１ｄを載置平板４ａ上面に差し込むと共に、支持板１１ｆを載置平板４ａ下面に位置させる。次いで、係止部材１１をスリット１０に沿って押し出して、載置平板４ａ下面側から取付口１０ｂを介して係止板１１ａを載置平板４ａ上面に差し込むと共に、支持板１１ｅを載置平板４ａ下面に位置させる。これにより、係止部材１１のスリット１０への取付が完了する。
【００４１】
以上のようにして完成した係止部によるＰＣカードの係止位置の変更は、係止部材１１の係止板１１ａを摘んでスリット１０方向に移動させることにより容易に行うことができる。係止位置は、スリット１０に設けられた凹凸部１０ａの凹凸のピッチ毎に変えることができ、また、凹凸部１０ａの長さの範囲で調整可能である。さらにスリット１０を設けた構成では、カードケース外からＰＣカードの係止位置を調整することができる。
【００４２】
以上説明した本実施の形態によるＰＣカード用収納ケース２は、通常型ＰＣカード１と拡張型ＰＣカード１Ｘとの双方に適用可能なだけでなく、拡張部の長さがそれぞれ異なる複数種類の拡張型ＰＣカード１Ｘも収納することができる。従って、ＰＣカード用収納ケースを多種類用意する必要がなくなるため、設計や金型の製作に余分の製造コストがかかることを防止できる。
【００４３】
また、ＰＣカード毎に異なる大きさのＰＣカード用収納ケースを一々選び出す作業が発生しないため使用者にとって使い勝手に優れたＰＣカード用収納ケースを提供できる。また、拡張型のＰＣカード用収納ケースに通常型のＰＣカードを収納して持ち歩く際にＰＣカードとケースとが衝突していずれかが損傷してしまう心配も生じない。
【００４４】
次に、本実施の形態によるＰＣカード用収納ケース２の変形例について図１１乃至図１４を用いて説明する。図１１乃至図１３は、本変形例によるＰＣカード用収納ケースの概略の構成を示している。図１１（ａ）は、ＰＣカード用収納ケース２の開状態を上方から見た斜視図、図１１（ｂ）は、図１１（ａ）における仮想円Ｅ内の拡大図である。また、図１２は、ＰＣカード用収納ケース２の開状態を底面方向から見た斜視図である。図１３は、本実施の形態における係止部材１３の形状例を示している。図１３（ａ）は係止部材１３を上面側からみた斜視図であり、図１３（ｂ）は係止部材１３を下面側からみた斜視図である。図１４は、通常型ＰＣカード１を載置し、蓋部が半開状態での右側面図である。図１乃至図１０に示した実施形態の構成要素と同一の構成要素には同一の符号を付してその説明は省略する。
【００４５】
本変形例は、上記実施の形態のＰＣカード用収納ケース２に設けられているスリット１０に代えて、載置部４又は蓋部６の少なくとも一方（本例では、載置部４）にリブ４ｆ、４ｆと保持部１２と、保持部１２に係合して移動可能な係止部材１３とでＰＣカードを係止する係止部を構成している点に特徴を有している。
【００４６】
図１１に図示してあるように、載置平板４ａにはＰＣカードを係止する係止部材１３を取り付ける保持部１２が形成されている。保持部１２は、長方形状の載置平板４ａのほぼ中央から蓋部６の開放側端部に向かって２つのリブ１２ａ、１２ａが、平行に載置平板４ａに一体的に形成されている。リブ１２ａ、１２ａには、お互いが向かい合う側に所定間隔で凹凸が形成された凹凸部１２ｂ、１２ｂが配設されている。また、リブ１２ａは、載置平板４ａと蓋部６との開放側端部側に切欠き部１２ｃが設けられている。また、載置平板４ａ上には載置平板４ａの長手方向に平行に延びる切欠き部１２ｃ、１２ｃと略同じ高さの２本のリブ４ｆ、４ｆが形成されている。
【００４７】
また、図１１及び図１３に示すように、ＰＣカードの係止位置を規定する係止部材１３は、保持部１２一端部に設けられた切欠き部１２ｃ、１２ｃから挿入可能な形状に形成されている。係止部材１３は所定間隙で平行に配置され弾性を有する２本の梁部１３ｂ、１３ｂを有している。２つの梁部１３ｂ、１３ｂはそれぞれ外側に凸の突起部１３ｃを有している。この突起部１３ｃは、係止部材１３が切欠き部１２ｃ、１２ｃから挿入されて載置平板４ａに組み込まれて保持部１２に沿って摺動する際、凹凸部１２ｂとかみ合ってＰＣカードの係止位置を決めるために用いられる。
【００４８】
図１３（ａ）に示すように、係止部材１３上面の一端側にはＰＣカード端部に当接してＰＣカードを係止する係止板１３ａが設けられている。係止板１３ａは梁部１３ｂ、１３ｂにほぼ直交する方向に保持部１２の幅より長く延びて載置平板４ａ面にほぼ垂直になる長方形壁面を有している。梁部１３ｂ、１３ｂの他端側は梁部１３ｂ、１３ｂ同士が半円形状に接続されている。
【００４９】
例えば、係止部材１３を載置平板４ａの切欠き部１２ｃ、１２ｃから保持部１２に挿入し、係止板１３ａを指で摘んで保持部１２の長手方向に押し出すことにより、係止部材１３を保持部１２に沿って摺動させて、係止板１３ａを任意の位置に移動させて半固定状態にすることができる。
【００５０】
次に、本例の動作について説明する。まず、係止部材１３を載置平板４ａの切欠き部１２ｃ、１２ｃから保持部１２に挿入する。次いで、載置したＰＣカードの大きさに合わせ、係止部材１３を移動させ、ＰＣカードを固定する。なお、図１４に示したように、ＰＣカードはリブ４ｆ、４ｆと切欠き部１２ｃ、１２ｃによって載置平板４ａに略平行に安定して保持される。
【００５１】
このような構成にしても、上記本実施の形態による効果を奏することができる。さらに、収納されたＰＣカードは外部から隔絶された構成を有するため、耐衝撃性に優れる。
【００５２】
本発明は、上記実施の形態に限らず種々の変形が可能である。
例えば、上記実施の形態では、係止部を載置部側に設けたが、本発明はこれに限らず、蓋部側に設けるようにしてももちろんよい。
【００５３】
また、上記実施の形態では、ＰＣカード用収納ケースの材質をポリプロピレンとしたが、本発明はこれに限らず、他の材質、例えばＡＢＳ樹脂等を用い、載置部と蓋部をヒンジ機構にて回動可能に接続するようにしてももちろんよい。
【００５４】
また、係止部８は載置部に２箇所設けたが、１箇所のみでも構わない。さらに、係止部材１１には支持板１１ｄ、１１ｆが設けられているが、これを設けず、支持板１１ａと支持板１１ｅのみで載置平板４ａに取り付けてもよい。
【００５５】
また例えば、上記実施の形態では、ＰＣカード１を収納するＰＣカード用収納ケースに本発明を適用したが、本発明はこれに限らず、ＰＣカード１に代えて、「Ｃｏｍｐａｃｔ　Ｆｌａｓｈ（サンディスク社の登録商標）」、「ＳｍａｌｌＰＣ　Ｃａｒｄ」、あるいは「Ｍｉｎｉａｔｕｒｅ　Ｃａｒｄ」などの小型のカードを収納する小型カード用収納ケースに本発明を適用することもできる。これらのカードを収納する場合、所定のカード幅に適合するよう、リブ４ｆ、４ｆ間の寸法を合わせてもよい。
【００５６】
【発明の効果】
以上の通り、本発明によれば、製造コストが抑えられ、使い勝手に優れ、ＰＣカードと収納ケースとが衝突していずれかが損傷してしまうことのないＰＣカード用収納ケースを実現できる。
【図面の簡単な説明】
【図１】本発明の第１の実施の形態によるＰＣカード用収納ケースを示す図であって、図１（ａ）は、ＰＣカード用収納ケースの開状態の斜視図、図１（ｂ）は、図１（ａ）における仮想円Ａ内の拡大図、図１（ｃ）は、図１（ａ）における仮想円Ｂ内の拡大図である。
【図２】本発明の第１の実施の形態によるＰＣカード用収納ケースの側面を示しており、図２（ａ）は、通常型ＰＣカードが載置された状態を示し、図２（ｂ）は拡張型ＰＣカードが載置された状態を示す図である。
【図３】本発明の第１の実施の形態によるＰＣカード用収納ケースの変形例を示す図であって、図３（ａ）は、ＰＣカード用収納ケース２の斜視図、図３（ｂ）は、図３（ａ）における仮想円Ａ内の拡大図、図３（ｃ）は、図３（ａ）における仮想円Ｂ内の拡大図である。
【図４】本発明の第１の実施の形態によるＰＣカード用収納ケースの変形例の側面を示しており、図４（ａ）は、通常型ＰＣカード１が載置された状態を示し、図４（ｂ）は拡張型ＰＣカード１Ｘが載置された状態を示す図である。
【図５】本発明の第２の実施の形態によるＰＣカード用収納ケースの開状態を上方から見た斜視図である。
【図６】本発明の第２の実施の形態によるＰＣカード用収納ケースの開状態を底面方向から見た斜視図である。
【図７】本発明の第２の実施の形態によるＰＣカード用収納ケースであって、図７（ａ）は蓋部が半開状態での正面図、図７（ｂ）は蓋部が半開状態での右側面図である。
【図８】本発明の第２の実施の形態によるＰＣカード用収納ケースであって、図７（ａ）における仮想円Ｃ内の拡大図である。
【図９】本発明の第２の実施の形態によるＰＣカード用収納ケースのであって、図９（ａ）は蓋部が半開状態での底面図、図９（ｂ）は、図９（ａ）における仮想円Ｄ内の拡大図である。
【図１０】本発明の第２の実施の形態によるＰＣカード用収納ケースの係止部材の形状例を示す図である。図１０（ａ）は係止部材を上面側からみた斜視図であり、図１０（ｂ）は係止部材を下面か側からみた斜視図である。
【図１１】本発明の第２の実施の形態によるＰＣカード用収納ケースの変形例であって、図１１（ａ）は、ＰＣカード用収納ケースの開状態を上方から見た斜視図、図１１（ｂ）は、図１１（ａ）における仮想円Ｅ内の拡大図である。
【図１２】本発明の第２の実施の形態によるＰＣカード用収納ケースの変形例であって、ＰＣカード用収納ケースの開状態を下方から見た斜視図である。
【図１３】本発明の第２の実施の形態によるＰＣカード用収納ケースの変形例の係止部材の形状例を示す図である。図１３（ａ）は係止部材を上面側からみた斜視図であり、図１３（ｂ）は係止部材を下面か側からみた斜視図である。
【図１４】本発明の第２の実施の形態によるＰＣカード用収納ケースの変形例であって、蓋部が半開状態での右側面図である。
【符号の説明】
１　通常型ＰＣカード
１Ｘ　拡張型ＰＣカード
２　ＰＣカード用収納ケース
４　載置部
４ａ　載置平板
４ｂ、４ｃ、６ｂ、６ｃ　側壁
４ｄ、６ｄ　底部側壁
４ｅ　支持板
４ｆ、４ｆｂ、１２ａ　リブ
６　蓋部
６ａ　平板
６ｅ　上部側壁
８　係止部
８ａ、１２ｃ　切欠き部
８ｂ　突起
１０　スリット
１０ａ、１２ｂ　凹凸部
１０ｂ　取付口
１１、１３　係止部材
１１ａ、１３ａ　係止板
１１ｂ、１３ｂ　梁部
１１ｃ、１３ｃ　突起部
１１ｄ、１１ｅ、１１ｆ　支持板
１２　保持部
【図１】
2004133853.tif 000003
【図２】
2004133853.tif 000004
【図３】
2004133853.tif 000005
【図４】
2004133853.tif 000006
【図５】
2004133853.tif 000007
【図６】
2004133853.tif 000008
【図７】
2004133853.tif 000009
【図８】
2004133853.tif 000010
【図９】
2004133853.tif 000011
【図１０】
2004133853.tif 000012
【図１１】
2004133853.tif 000013
【図１２】
2004133853.tif 000014
【図１３】
2004133853.tif 000015
【図１４】
2004133853.tif 000016